(57)【要約】      （修正有）【課題】コンクリート躯体と下地調整材との接着性が良好で、耐亀裂追従性と可撓性を高めることができ、有機溶剤が溶解、防火水槽に混入することがなく、水質を長期間良好に維持することができる防火水槽等密室の内層壁面の再生積層構造を提供する。【解決手段】第一層から第三層の下地調整材２、防水材３、保護材４を積層した三層構造からなり、第一層の下地調整材２は、躯体１のピンホールを密閉する機密性を持つ水性エチレン酢酸ビニル系樹脂にセメント系骨材を混合したもの、第二層の防火材３は、第一層の下地調整材とで躯体の挙動に対しての追従性、亀裂に対しての耐亀裂性を奏する柔軟性のある水性エチレン酢酸ビニル系樹脂にアルミナセメント系骨材を混合したもの、第三層の保護材４は、耐久性の優れた水性フッ素樹脂から成る。【選択図】図１
0003217742.tif 000002
【実用新案登録請求の範囲】
【請求項１】
既設の防火水槽の躯体であるコンクリート層に、第一層の下地調整材と、第二層の防水材と第三層の保護材を三層に積層した防火水槽等密室の内層壁面の再生積層構造であって、第一層の下地調整材は、躯体のピンホールを密閉する機密性を持つ水性エチレン酢酸ビニル系樹脂にセメント系骨材を混合したもの、第二層の防火材は、第一層の下地調整材とで躯体の挙動に対しての追従性、亀裂に対しての耐亀裂性を奏する柔軟性のある水性エチレン酢酸ビニル系樹脂にアルミナセメント系骨材を混合したもの、第三層の保護材は、耐久性の優れた水性フッ素樹脂の三層を積層したものから成る第一層から第三層の下地調整材、防水材、保護材を積層したことを特徴とする防火水槽等密室の内層壁面の再生積層構造。
【考案の詳細な説明】
【技術分野】
【０００１】
本考案は、既設の防火水槽等密室の内層壁面を改修する３層積層構造に係り、特に古くなった既設の防火水槽を改修することにより、耐亀裂性と耐震性を高めた防火水槽の３層積層構造に関するものである。
【背景技術】
【０００２】
従来技術としては、既設の防火水槽を改修する方法に於いて、該防火水槽の内周壁上部に固定部材を貼着し、かつ前記防火水槽内に合成樹脂製袋を挿入し、更に該合成樹脂製袋の開口縁を前記固定部材上に当接した後で釘、ビス、ネジ等の固定金具を介して該開口縁を固定部材に固定して構成する防火水槽の改修方法（例えば、特許文献１参照）が存在している。
【先行技術文献】
【特許文献】
【０００３】
【特許文献１】特開平１１−１７２９２７号公報（特許請求の範囲の欄、発明の詳細な説明の欄、及び図１〜図４参照）
【考案の概要】
【考案が解決しようとする課題】
【０００４】
従来、既設の防火水槽の中に合成樹脂製袋を挿入すると共に、その合成樹脂製袋の開口縁を防火水槽の内周壁上部に固定して防火水槽の内周壁全面を改修するものであるが、長期間の経過により、合成樹脂製袋が溶解して、水と混合し、水質悪化を招く原因となり、結果として人体、環境に優しいものではないという問題点があった。
また、防火水槽は消火用だけでなく、災害用にも減災のための役割があるので、常時水はなくてはならない現状は放置できないものであり、半永久的に耐久性がある防火水槽が求められている。
そこで、本考案は、上記課題を解消した防火水槽等密室の内層壁面の再生積層構造を提供するものである。
【課題を解決するための手段】
【０００５】
本考案の第１考案は、請求項１に記載された通りの防火水槽等密室の内層壁面の再生積層構造であり、次のようなものである。
既設の防火水槽の躯体であるコンクリート層に、第一層の下地調整材と、第二層の防水材と第三層の保護材を三層に積層した防火水槽等密室の内層壁面の再生積層構造であって、第一層の下地調整材は、躯体のピンホールを密閉する機密性を持つ水性エチレン酢酸ビニル系樹脂にセメント系骨材を混合したもの、第二層の防火材は、第一層の下地調整材とで躯体の挙動に対しての追従性、亀裂に対しての耐亀裂性を奏する柔軟性のある水性エチレン酢酸ビニル系樹脂にアルミナセメント系骨材を混合したもの、第三層の保護材は、耐久性の優れた水性フッ素樹脂の三層を積層したものから成る第一層から第三層の下地調整材、防水材、保護材を積層した構成である。
【考案の効果】
【０００６】
本考案に係る防火水槽等密室の内層壁面の再生積層構造は、上記説明のような構成を有するので、以下に記載する効果を奏する。
（１）コンクリート躯体と第一層である下地調整材との接着性が良好である。
（２）コンクリート躯体の収縮及び地震等の挙動による亀裂への耐亀裂追従性と可撓性を高めることができる。
（３）経年劣化に耐え得る耐久性を高めることができる。
（４）第二層の防水材は、骨材にガラス繊維を混入することで塗膜の強度を高めることができる。
（５）第三層である保護材を積層することで、酸化しない、水を吸わないので溶解がない水性フッ素樹脂なので、半永久的に防水材をガードすることができる。
（６）また、従来の防水材としては、有機溶剤を介して積層しているため、有機溶剤の飛散等により、防火水槽内に有機溶剤が混入し、人体、環境に優しくなかったものを水性のフッ素樹脂を採用することで、人体、環境に優しい防水材を提供することができる。
（７）水性フッ素樹脂を採用したことにより、世の中の多くの物質と科学的な反応をしなく、影響を受け難いので、経年劣化が少ないものである。
（８）撥水性、撥油性があるので、水中、空中のゴミが付着し難いものである。
（９）従来の有機溶剤を使用した防火水槽の保護膜は、有機溶剤が長期間経過することで溶解して水と混合し、水質悪化を招く原因となっていたが、水性フッ素樹脂を採用することで、有機溶剤が溶解、防火水槽に混入することがなく、水質を長期間良好に維持することができる。
【図面の簡単な説明】
【０００７】
【図１】本考案の一実施例で、防火水槽等密室の内層壁面の再生積層構造の概略断面図である。
【考案を実施するための形態】
【０００８】
既設の防火水槽の躯体であるコンクリート層に、第一層の下地調整材と、第二層の防水材と第三層の保護材を三層に積層した防火水槽等密室の内層壁面の再生積層構造であって、第一層の下地調整材は、躯体のピンホールを密閉する機密性を持つ水性エチレン酢酸ビニル系樹脂にセメント系骨材を混合したもの、第二層の防火材は、第一層の下地調整材とで躯体の挙動に対しての追従性、亀裂に対しての耐亀裂性を奏する柔軟性のある水性エチレン酢酸ビニル系樹脂にアルミナセメント系骨材を混合したもの、第三層の保護材は、耐久性の優れた水性フッ素樹脂の三層を積層したものから成る第一層から第三層の下地調整材、防水材、保護材を積層した防火水槽等密室の内層壁面の再生積層構造である。
【実施例】
【０００９】
以下、本考案の一実施例を図面を用いて詳細に説明する。
本考案は、既設の防火水槽の防水材に関するもので、既設の密室に近い環境下の防火水槽の再生施工には、従来のような有機溶剤を使用して施工すると、有機溶剤の飛散により、人体に中毒症状が発生したり、環境にも悪く、火災、爆発等の危険性があるが、本考案のように水性フッ素樹脂を採用することで、上記のような問題点を解決することができた。
ここで、さらに詳細に説明すると、図１に示す通り、既設の防火水槽のコンクリート躯体１に三層からなる下地調整材、防水材、保護材を積層する構造である。
この積層する手段としては、例えば下地調整材、防水材、保護材を刷毛やローラーで塗布して三層に積層するもの等が考えられる。
第一層の下地調整材と、第二層の防水材と第三層の保護材を三層に積層した防火水槽等密室の内層壁面の再生積層構造であって、第一層の下地調整材は、躯体のピンホールを密閉する機密性を持つ水性エチレン酢酸ビニル系樹脂にセメント系骨材を混合したもの、第二層の防火材は、第一層の下地調整材とで躯体の挙動に対しての追従性、亀裂に対しての耐亀裂性を奏する柔軟性のある水性エチレン酢酸ビニル系樹脂にアルミナセメント系骨材を混合したもの、第三層の保護材は、耐久性の優れた水性フッ素樹脂の三層を積層したものから成るものである。
すなわち、既設のコンクリート躯体１に接着し易い接着性を有する水性の下地調整材２を積層し、さらに水性エチレン酢酸ビニル系樹脂＋ガラス繊維（長さは１０ｍｍ程度）を混入したアルミナセメント系骨材からなる水性の防水材３を積層し、その上にフッ素樹脂からなる水性の保護材４を積層した構造である。
このように、水性の材料を使用することにより、コンクリート躯体１及び下地調整材２、防水材３、保護材４と構成する全ての材料が水性であるため、異種材料との取り合いがないので、それぞれの層間の接着トラブルがなくなったものである。
また、従来から使用されている方法である既設の防火水槽の中に合成樹脂製袋を挿入すると共に、その合成樹脂製袋の開口縁を防火水槽の内周壁上部に固定して防火水槽の内周壁全面を改修するものは、長期間の経過により、合成樹脂製袋が溶解して、水と混合し、水質悪化を招く原因となり、結果として人体、環境に優しいものではない。
さらに、本考案により消火用だけでなく災害用にも減災のための役割がある防火水槽は常時水を入れた状態であっても合成樹脂製の袋の溶解などの心配はなく、半永久的に耐久性がある防火水槽が得られるものである。
【産業上の利用可能性】
【００１０】
既設の防火水槽だけでなく、新設の防火水槽に施工することも可能である。
【符号の説明】
【００１１】
１・・・・コンクリート躯体
２・・・・下地調整材
３・・・・防水材
４・・・・保護材
【図１】
0003217742.tif 000003